(57)【要約】【課題】データ管理装置において、格納対象のデータを送信するカメラ等の装置でユーザ情報を入力することなくユーザ認証を行って、認証が行われたユーザのユーザ情報とデータとを関連付けて格納する。【解決手段】データ取得装置からデータを受信し、データ識別情報を生成し、当該データと前記データ識別情報とを対応付けてデータ記憶手段に格納し、前記データ取得装置において前記データ識別情報を表示させるために、当該データ識別情報を前記データ取得装置に送信し、認証制御装置からユーザ情報を受信し、当該ユーザ情報に対して認証を行い、認証された前記ユーザ情報を送信した前記認証制御装置から、前記データ取得装置において表示されたデータ識別情報を受信し、当該データ識別情報に対応付けて、前記ユーザ情報を前記データ記憶手段に格納するようにデータ管理装置を構成する。【選択図】図３
2010191766.tif 000002
【特許請求の範囲】
【請求項１】
データ取得装置及び認証制御装置と通信ネットワークを介して接続されるデータ管理装置であって、
前記データ取得装置により取得されたデータを、当該データ取得装置から受信し、当該データに基づき当該データを識別するためのデータ識別情報を生成し、当該データと前記データ識別情報とを対応付けてデータ記憶手段に格納するデータ識別情報生成格納手段と、
前記データ取得装置において前記データ識別情報を表示させるために、当該データ識別情報を前記データ取得装置に送信するデータ識別情報送信手段と、
前記認証制御装置からユーザ情報を受信し、当該ユーザ情報が予めユーザ情報記憶手段に格納されたユーザ情報と一致することを確認することにより認証を行うユーザ認証手段と、
前記ユーザ認証手段により認証された前記ユーザ情報を送信した前記認証制御装置から、前記データ取得装置において表示されたデータ識別情報を受信し、当該データ識別情報に対応付けて、前記ユーザ情報を前記データ記憶手段に格納するユーザ情報格納手段と、
を備えたことを特徴とするデータ管理装置。
【請求項２】
前記通信ネットワークに接続された端末装置から前記ユーザ情報を受信し、当該ユーザ情報に対応するデータを前記データ記憶手段から読み出し、前記端末装置に送信するデータ送信手段を備えたことを特徴とする請求項１に記載のデータ管理装置。
【請求項３】
前記データ取得装置は、前記データとして画像データを取得するカメラであり、前記認証制御装置は、携帯電話機であることを特徴とする請求項１又は２に記載のデータ管理装置。
【請求項４】
前記通信ネットワークに接続されるデータ表示装置から当該データ表示装置に対応する装置情報を受信し、当該装置情報に基づき前記データ表示装置を識別するためのデータ表示装置識別情報を生成し、当該データ表示装置識別情報を前記データ記憶手段に格納するデータ表示装置識別情報生成格納手段と、
前記データ表示装置において前記データ表示装置識別情報を表示させるために、当該データ表示装置識別情報を前記データ表示装置に送信するデータ表示装置識別情報送信手段と、
前記認証制御装置から送信されたユーザ情報に基づき前記ユーザ認証手段により認証が行われた後に、前記認証制御装置から、前記データ表示装置において表示された前記データ表示装置識別情報を受信し、当該データ表示装置識別情報に対応付けて、前記ユーザ情報を前記データ記憶手段に格納する格納手段と、
を更に備えたことを特徴とする請求項１ないし３のうちいずれか１項に記載のデータ管理装置。
【請求項５】
データ取得装置及び認証制御装置と通信ネットワークを介して接続されるデータ管理装置が実行するデータ管理方法であって、
前記データ取得装置により取得されたデータを、当該データ取得装置から受信し、当該データに基づき当該データを識別するためのデータ識別情報を生成し、当該データと前記データ識別情報とを対応付けてデータ記憶手段に格納するデータ識別情報生成格納ステップと、
前記データ取得装置において前記データ識別情報を表示させるために、当該データ識別情報を前記データ取得装置に送信するデータ識別情報送信ステップと、
前記認証制御装置からユーザ情報を受信し、当該ユーザ情報が予めユーザ情報記憶手段に格納されたユーザ情報と一致することを確認することにより認証を行うユーザ認証ステップと、
前記ユーザ認証ステップにおいて認証された前記ユーザ情報を送信した前記認証制御装置から、前記データ取得装置において表示されたデータ識別情報を受信し、当該データ識別情報に対応付けて、前記ユーザ情報を前記データ記憶手段に格納するユーザ情報格納ステップと、
を備えたことを特徴とするデータ管理方法。
【請求項６】
コンピュータを、データ取得装置及び認証制御装置と通信ネットワークを介して接続されるデータ管理装置として機能させるプログラムであって、前記コンピュータを、
前記データ取得装置により取得されたデータを、当該データ取得装置から受信し、当該データに基づき当該データを識別するためのデータ識別情報を生成し、当該データと前記データ識別情報とを対応付けてデータ記憶手段に格納するデータ識別情報生成格納手段、
前記データ取得装置において前記データ識別情報を表示させるために、当該データ識別情報を前記データ取得装置に送信するデータ識別情報送信手段、
前記認証制御装置からユーザ情報を受信し、当該ユーザ情報が予めユーザ情報記憶手段に格納されたユーザ情報と一致することを確認することにより認証を行うユーザ認証手段、
前記ユーザ認証手段により認証された前記ユーザ情報を送信した前記認証制御装置から、前記データ取得装置において表示されたデータ識別情報を受信し、当該データ識別情報に対応付けて、前記ユーザ情報を前記データ記憶手段に格納するユーザ情報格納手段、
として機能させるプログラム。
【発明の詳細な説明】
【技術分野】
【０００１】
本発明は、カメラ等の装置から送信され、サービスサーバに格納されるデータと、当該サービスサーバにアクセスするユーザのユーザ情報とを関連付けるための技術に関するものである。
【背景技術】
【０００２】
近年、カメラ、ビデオプレーヤー、ゲーム機等の様々な装置において無線LAN等によるネットワーク接続機能が搭載されるようになっている。
【０００３】
このようなネットワーク接続機能を使用することにより、例えば、カメラで撮影した画像をカメラ自身がネットワーク上のデータストレージサーバに送り、データストレージサーバで当該画像を格納する。その後、ユーザは、当該カメラもしくは他の装置からデータストレージサーバにアクセスして格納した画像を閲覧したり編集したりする。
【０００４】
なお、デジタルカメラ等の装置からオンラインストレージを利用するための技術の例として特許文献１に記載された技術がある。
【先行技術文献】
【特許文献】
【０００５】
【特許文献１】特開２００５−００４４０２号公報
【発明の概要】
【発明が解決しようとする課題】
【０００６】
データストレージサーバのようなサービスサーバでは、予め登録されたユーザのみデータの蓄積及びデータへのアクセスを許容するのが一般的である。
【０００７】
従って、例えば、カメラ等から送信されたデータをサービスサーバに格納する際には、当該データをユーザにより入力されたユーザ情報（ＩＤ・パスワード等）と対応付けて格納しておくことが必要である。そして、ユーザからデータへのアクセスを行う際には、サービスサーバからユーザ情報をユーザに対して要求し、サービスサーバはユーザ情報に基づく認証を行って、認証に成功した場合にのみ、当該ユーザ情報に対応するデータをユーザに提供する。
【０００８】
しかし、カメラ、ビデオプレーヤー、ゲーム機、あるいはフォトフレーム等の装置は、通信機能を備えているものでも、ＩＤやパスワード等のユーザ情報を入力する機能に乏しいのが一般的である。つまり、これらの装置では、文字入力機能を備えていたとしても特殊な操作を行わなければ所望の文字を入力できない場合が多い。従って、このような装置を用いてサービスサーバにＩＤとパスワードでログインし、画像等のデータをユーザ情報に対応付けて格納することは一般のユーザにとって容易でなかった。
【０００９】
本発明は上記の点に鑑みてなされたものであり、カメラ等の装置から通信ネットワークを介して受信したデータを格納するデータ管理装置において、格納対象のデータを送信するカメラ等の装置でユーザ情報を入力することなくユーザ認証を行って、認証が行われたユーザのユーザ情報とデータとを関連付けて格納するための技術を提供することを目的とする。
【課題を解決するための手段】
【００１０】
上記の課題を解決するために、本発明は、データ取得装置及び認証制御装置と通信ネットワークを介して接続されるデータ管理装置であって、前記データ取得装置により取得されたデータを、当該データ取得装置から受信し、当該データに基づき当該データを識別するためのデータ識別情報を生成し、当該データと前記データ識別情報とを対応付けてデータ記憶手段に格納するデータ識別情報生成格納手段と、前記データ取得装置において前記データ識別情報を表示させるために、当該データ識別情報を前記データ取得装置に送信するデータ識別情報送信手段と、前記認証制御装置からユーザ情報を受信し、当該ユーザ情報が予めユーザ情報記憶手段に格納されたユーザ情報と一致することを確認することにより認証を行うユーザ認証手段と、前記ユーザ認証手段により認証された前記ユーザ情報を送信した前記認証制御装置から、前記データ取得装置において表示されたデータ識別情報を受信し、当該データ識別情報に対応付けて、前記ユーザ情報を前記データ記憶手段に格納するユーザ情報格納手段と、を備えたことを特徴とするデータ管理装置として構成される。
【００１１】
前記データ管理装置において、前記通信ネットワークに接続された端末装置から前記ユーザ情報を受信し、当該ユーザ情報に対応するデータを前記データ記憶手段から読み出し、前記端末装置に送信するデータ送信手段を備えてもよい。
【００１２】
また、前記データ管理装置において、前記通信ネットワークに接続されるデータ表示装置から当該データ表示装置に対応する装置情報を受信し、当該装置情報に基づき前記データ表示装置を識別するためのデータ表示装置識別情報を生成し、当該データ表示装置識別情報を前記データ記憶手段に格納するデータ表示装置識別情報生成格納手段と、前記データ表示装置において前記データ表示装置識別情報を表示させるために、当該データ表示装置識別情報を前記データ表示装置に送信するデータ表示装置識別情報送信手段と、前記認証制御装置から送信されたユーザ情報に基づき前記ユーザ認証手段により認証が行われた後に、前記認証制御装置から、前記データ表示装置において表示された前記データ表示装置識別情報を受信し、当該データ表示装置識別情報に対応付けて、前記ユーザ情報を前記データ記憶手段に格納する格納手段と、を更に備えてもよい。
【発明の効果】
【００１３】
本発明によれば、カメラ等の装置から通信ネットワークを介して受信したデータを格納するデータ管理装置において、格納対象のデータを送信するカメラ等の装置でユーザ情報を入力することなくユーザ認証を行って、認証が行われたユーザのユーザ情報とデータとを関連付けて格納するための技術を提供することが可能となる。
【図面の簡単な説明】
【００１４】
【図１】本発明の実施の形態に係るデータ配信サービスシステム１００の構成図である。
【図２】カメラ３の機能構成図である。
【図３】データ管理装置４の機能構成図である。
【図４】ユーザ情報記憶部４７に格納されるテーブルの一例を示す図である。
【図５】セッション情報テーブルの一例を示す図である。
【図６】データ情報テーブルの一例を示す図である。
【図７】タグテーブルの一例を示す図である。
【図８】表示端末情報テーブルの一例を示す図である。
【図９】ユーザ情報登録処理を説明するためのシーケンスチャートである。
【図１０】画像保存に係る処理を説明するためのシーケンスチャートである。
【図１１】タグ情報付加処理を説明するためのシーケンスチャートである。
【図１２】表示処理を説明するためのシーケンスチャートである。
【発明を実施するための形態】
【００１５】
以下、図面を参照して本発明の実施の形態について説明する。以下の実施の形態では、１つの例としてカメラで撮影された画像（画像データを"画像"と表記する）をデータ管理装置に送信し、データ管理装置で当該画像を格納する例を説明するが、本発明においてデータ管理装置が格納するデータは、カメラで取得された画像に限るものではない。例えば、ビデオレコーダーで取得された動画や、ボイスレコーダーにより取得された音声もデータ管理装置に格納するデータとしてよい。
【００１６】
（システム構成）
図１に、本発明の実施の形態に係るデータ配信サービスシステム１００の構成図を示す。図１に示すように、本実施の形態に係るデータ配信サービスシステム１００は、コントローラ端末１、表示端末２、カメラ３、データ管理装置４を有し、これらがインターネット等の通信ネットワーク５に接続されて構成されている。
【００１７】
データ配信サービスシステム１００におけるコントローラ端末１は、例えば、データ通信機能、表示機能、文字等の入力機能を備える一般的な携帯電話機である。本実施の形態では、ユーザは、カメラ３とともにコントローラ端末１を携帯しているものとする。コントローラ端末１としてデータ通信機能を備えるＰＣ（パーソナルコンピュータ）を用いてもよい。
【００１８】
表示端末２は、例えばデータ通信機能を備えるデジタルフォトフレームである。もちろん、表示端末２として一般的なＰＣを用いてもよい。
【００１９】
図２に、本実施の形態に係るカメラ３の機能構成図を示す。図２に示すように、カメラ３は、撮影部３１、表示部３２、及びネットワーク通信部３３を少なくとも有する。撮影部３１は、撮影を行うことにより画像を取得する機能部である。表示部３２は、例えば液晶表示部であり、各種のデータを表示する機能部である。ネットワーク通信部３３は、通信ネットワーク５を介してデータ管理装置４に画像等のデータを送信したり、データ管理装置４からデータを受信する等の通信を行うための機能部である。なお、図２に示す構成を有するカメラ自体は既存技術に基づくものである。
【００２０】
図３に、データ管理装置４の機能構成図を示す。図３に示すように、本実施の形態に係るデータ管理装置４は、ネットワーク通信部４１、ユーザ認証部４２、ユーザ管理部４３、データ送受信部４４、データ情報制御部４５、表示端末情報記憶部４６、ユーザ情報記憶部４７、データ管理情報記憶部４８、データ記憶部４９、を有する。
【００２１】
ネットワーク通信部４１は、データ管理装置４が通信ネットワーク５を介して他の装置とデータ通信を行うための機能部である。ユーザ認証部４２は、通信ネットワーク５を介して受信するＩＤ・パスワードがユーザ情報記憶部４７に格納されたＩＤ・パスワードと一致するかどうかを確認することにより、当該ＩＤ・パスワードを送信した装置のユーザが正当なユーザであるかどうかの認証を行う機能部である。
【００２２】
ユーザ管理部４３は、コントローラ端末１等から送信されたユーザ情報を受信し、ユーザ情報記憶部４７に格納する機能部である。図４に、ユーザ情報記憶部４７に格納されるテーブルの一例を示す。図４に示すように、当該テーブルには、ユーザＩＤ、パスワード、名前、メールアドレスが互いに対応付けられて格納されている。
【００２３】
また、ユーザ情報記憶部４７には、図５に示すような、ユーザＩＤとセッション情報とが対応付けられたセッション情報テーブルが格納される。セッション情報は、ユーザ認証に成功した場合に生成され、認証に成功したユーザＩＤとともにセッション情報テーブルに格納されるものである。セッション情報は、コントロール端末１とのデータ送受信に際してセッション（送受信情報）とユーザＩＤとを結びつけるために使用される。また、セッション情報は、一定時間アクセスがない場合に削除されることとしてよい。なお、本実施の形態のようにセッション情報を用いる方式は一例に過ぎない。
【００２４】
図３に戻り、データ送受信部４４は、カメラ３から通信ネットワーク５を介して受信した画像をデータ記憶部４９に格納したり、画像を表示端末２等に送信するなどの画像の送受信に関わる処理を行う機能部である。ここで、データ記憶部４９には、画像のデータがファイルとして格納され、データ記憶部４９に対してファイル名を指定することにより、当該ファイル名に対応する画像を取得できるように構成されている。なお、ファイル名に対応付けて画像ＩＤを管理しておき、その画像ＩＤを用いてファイル名を識別することとしてもよい。
【００２５】
データ情報制御部４５は、データ送受信部４４から受け取るファイル名等に基づきデータ識別情報を生成し、データ識別情報を、当該ファイル名やユーザ認証部４２から受け取るユーザＩＤ等とともにデータ管理情報記憶部４８に格納するとともに、ユーザＩＤに基づきデータ管理情報記憶部４８を検索することによりユーザＩＤに対応する画像のファイル名を取得したりする機能部である。
【００２６】
データ管理情報記憶部４８には、例えば、データ情報テーブル、タグテーブルが格納される。図６に、データ情報テーブルの一例を示す。図６に示すように、データ情報テーブルには、画像のファイル名、データ識別情報、ユーザＩＤ、登録日付（タイムスタンプ）、及びタグＩＤが互いに対応付けられて格納される。また、図７に示すように、タグテーブルには、タグＩＤとタグ名が格納される。タグテーブルには、システムの運営者側で予めタグ情報（タグＩＤとタグ名）を格納しておくこととしてもよいし、タグテーブルをユーザ毎に備え、ユーザがタグ情報を予め格納しておくこととしてもよい。
【００２７】
また、データ情報制御部４５は、表示端末２の機器情報に基づき表示端末識別情報を生成するなどして表示端末２とユーザＩＤとの紐付けを行う機能も有している。その動作の詳細については後述する。表示端末情報記憶部４６には、例えば、図８に示すように、ユーザＩＤと表示端末識別情報とが対応付けられた表示端末情報テーブルが格納される。
【００２８】
データ管理装置４は、コンピュータ（サーバ）に、各機能部の処理に対応するプログラムを実行させることにより実現することが可能である。当該プログラムは、メモリ等の記録媒体に格納しておき、当該記録媒体からコンピュータにインストールしてもよいし、通信ネットワークに接続されたサーバに上記プログラムを格納しておき、当該サーバからプログラムをダウンロードし、インストールすることとしてもよい。
【００２９】
また、データ管理装置４は、１つのコンピュータで構成してもよいし、１つ又は複数の機能部毎にコンピュータを設けることにより、ネットワーク接続された複数のコンピュータで構成することとしてもよい。
【００３０】
なお、データ記憶部４９とデータ管理情報記憶部４８は、データとデータ識別情報とを対応付けて格納するデータ記憶手段を構成している。また、データ情報制御部４５は、カメラ３により取得されたデータを、当該カメラ３から受信し、当該データに基づき当該データを識別するためのデータ識別情報を生成し、当該データと前記データ識別情報とを対応付けてデータ記憶手段に格納するデータ識別情報生成格納手段、及び、ユーザ認証部４２により認証されたユーザ情報を送信したコントローラ端末１から、カメラ３において表示されたデータ識別情報を受信し、当該データ識別情報に対応付けて、前記ユーザ情報を前記データ記憶手段に格納するユーザ情報格納手段を含む。
【００３１】
また、データ情報制御部４５は、表示端末２から当該表示端末２に対応する装置情報を受信し、当該装置情報に基づき表示端末２を識別するための表示端末識別情報を生成し、当該表示端末識別情報を前記データ記憶手段に格納するデータ表示装置識別情報生成格納手段、及び、コントローラ端末１から送信されたユーザ情報に基づきユーザ認証部４２により認証が行われた後に、当該ユーザ情報を送信したコントローラ端末１から、表示端末２において表示された表示端末識別情報を受信し、当該表示端末識別情報に対応付けて、前記ユーザ情報を前記データ記憶手段に格納する格納手段を含む。
【００３２】
（システムの動作）
次に、本実施の形態に係るデータ配信サービスシステム１００の動作例を図９〜図１２のシーケンスチャートを参照して説明する。なお、以下の各フローチャートにおいては主要な処理を示している。
【００３３】
＜ユーザ情報登録＞
まず、ユーザ情報登録処理について図９を参照して説明する。コントローラ端末１から登録に係るユーザ情報としてユーザＩＤ、パスワード、名前、メールアドレスが入力され（ステップ１）、それらが通信ネットワーク５を介してデータ管理装置４に送信される（ステップ２）。データ管理装置４において、ユーザ管理部４３がユーザ情報を受信し、当該ユーザ情報をユーザ情報記憶部４７に格納する（ステップ３）。格納が終わると、ユーザ管理部４３から登録許可通知がコントローラ端末１に送信され、コントローラ端末１において登録許可を示す情報が表示される（ステップ４、５、６）。
【００３４】
＜画像送信、保存＞
次に、カメラ３からの画像送信、及びデータ管理装置４における画像保存に係る処理を図１０のシーケンスチャートを参照して説明する。
【００３５】
カメラ３において撮影部３１により撮影が行われ、画像が取得される（ステップ１１）。画像はファイル名が付されたファイルデータとして取得されている。そして、カメラ３側で画像の送信先としてデータ管理装置３のアドレス（ＵＲＬ等）の指定が行われ、送信を行う指示がカメラ３に対してなされると（ステップ１２）、カメラ３のネットワーク通信部３３は、画像をデータ管理装置４に通信ネットワーク５を介して送信する（ステップ１３）。なお、アドレスの指定は、例えば、カメラ３に予め登録され表示される複数のサービス名から特定のサービス名を選択することにより行うことができる。
【００３６】
データ管理装置４において、カメラ３から送信された画像をデータ送受信部４４が受信する。そして、データ送受信部４４は、受信した画像をデータ記憶部４９に格納する（ステップ１４）。
【００３７】
また、データ送受信部４４は、受信した画像のファイル名をデータ情報制御部４５に渡す（ステップ１５）。続いて、データ情報制御部４５は、ステップ１５で受信したファイル名と、現在の日及び時刻を表すタイムスタンプとからデータ識別情報を生成する（ステップ１６）。ここでは、例えば、画像のファイル名とタイムスタンプとからなる情報にＭＤ５ハッシュ関数を作用させて得られたハッシュ値をデータ識別情報とする。そして、データ情報制御部４５は、上記のファイル名、データ識別情報、タイムスタンプを対応付けてデータ管理情報記憶部４８におけるデータ情報テーブルに格納する（ステップ１７）。
【００３８】
その後、データ情報制御部４５は、ステップ１６で生成したデータ識別情報をカメラ３に送信する（ステップ１８）。カメラ３はデータ識別情報を受信し、表示部３２において当該データ識別情報が表示される（ステップ１９）。表示部３２において表示させるデータ識別情報は文字列でもよいし、ＱＲコードとしてもよい。
【００３９】
続いて、コントローラ端末１からデータ管理装置４に対してログインが行われる。つまり、ユーザが、既に登録したＩＤとパスワードをコントローラ端末１に入力し（ステップ２０）、コントローラ端末１が当該ＩＤ、パスワードをデータ管理装置４に送信する（ステップ２１）。
【００４０】
データ管理装置４では、ユーザ認証部４２により、受信したＩＤ、パスワードが、ユーザ情報記憶部４７に格納されているＩＤとパスワードのいずれかと一致することを確認することによりユーザ認証が行われる（ステップ２２）。また、ユーザ認証部４２は、認証処理の中で、ユーザ認証に成功すると、セッション情報を生成してセッション情報をユーザＩＤとともセッション管理テーブルに保持するとともに、認証に成功した旨の通知をコントローラ端末１に送信する（ステップ２３）。当該通知にはセッション情報が含まれ、コントローラ端末１には当該セッション情報が保持される。また、ここで、情報入力画面表示用データがコントローラ端末１に送られる。
【００４１】
コントローラ端末１には情報入力画面が表示され、ユーザは、ステップ１９においてカメラ３に表示されたデータ識別情報をコントローラ端末１に入力する（ステップ２４）。
【００４２】
そして、コントローラ端末１は、ユーザにより入力されたデータ識別情報をセッション情報とともにデータ管理装置４に送信する（ステップ２５）。データ管理装置４において、データ情報制御部４５がデータ識別情報とセッション情報を受信し、セッション情報に対応するユーザＩＤをユーザ情報記憶部４７から取得する（ステップ２６）。そして、データ情報制御部４５は、ユーザＩＤを、コントローラ端末１から受信したデータ識別情報に対応付けてデータ情報テーブルに格納する（ステップ２７）。つまり、データ情報制御部４５は、コントローラ端末１から受信したデータ識別情報を用いてデータ情報テーブルを検索し、当該データ識別情報と一致するデータ識別情報を検出し、そのデータ識別情報とユーザＩＤとを対応付けてデータ情報テーブルに格納する。
【００４３】
これによりユーザＩＤからファイル名を特定でき、そのファイル名を用いてデータ記憶部４９から画像を取得できる。すなわち、ユーザＩＤと画像が紐付けられたことになる。その後、データ情報制御部４５は、ユーザＩＤと画像との紐付けが完了したことを示す通知をコントローラ端末１に送信し（ステップ２８）、コントローラ端末１では当該通知の情報が表示される（ステップ２９）。
【００４４】
上記の処理により、ユーザは、コントローラ端末１等に限らない任意の端末を用いてデータ管理装置４にログインすることにより、自分が以前に格納した画像を閲覧することを含む様々な処理を行うことが可能となる。様々な処理の例として、以下では、コントローラ端末１を用いて画像にタグ情報を付加する処理と、表示端末２に画像を表示する処理について説明する。
【００４５】
＜タグ情報付加処理＞
図１１を参照してタグ情報付加処理について説明する。まず、コントローラ端末１が、データ管理装置４にアクセスし、ユーザにより入力されたユーザＩＤ及びパスワードを送信する（ステップ３１）。その後、認証ＯＫの通知（セッション情報を含む）がコントローラ端末に返された（ステップ３２）後、ユーザによる操作に基づき、コントローラ端末１は、タグ付加要求（セッション情報を含む）をデータ管理装置４に送信する（ステップ３３）。データ管理装置４において、データ情報制御部４５がタグ付加要求を受信し、タグ付加要求に含まれるセッション情報を用いることにより、ユーザ情報記憶部４７からユーザＩＤを取得する（ステップ３４）。
【００４６】
そして、データ情報制御部４５は、当該ユーザＩＤを用いてデータ管理情報記憶部４８におけるデータ情報テーブルを検索することにより、当該ユーザＩＤに対応するファイル名を取得する（ステップ３５、３６）。続いて、データ情報制御部４５は、そのファイル名を指定することにより画像をデータ記憶部４９から取得する（ステップ３７、３８）。また、データ情報制御部４５は、タグテーブルからタグ情報（タグ名とタグＩＤ）を取得し、画像データ（ファイル名含む）、及びタグ情報をデータ送受信部４４に渡す（ステップ３９）。データ送受信部４４は、当該画像とタグ情報をセッション情報とともにコントローラ端末１に送信する（ステップ４０）。
【００４７】
コントローラ端末１には、受信した画像及びタグ情報が表示される（ステップ４１）。ユーザは、タグ情報から特定のタグ名を選択する。そして、コントローラ端末１から、ユーザにより選択されたタグ名に対応するタグＩＤ及びファイル名がセッション情報ととともにデータ管理装置４に送られる（ステップ４２）。
【００４８】
データ管理装置４では、データ情報制御部４５がセッション情報によりユーザＩＤを取得し、当該ユーザＩＤ及びコントローラ端末１から受信したファイル名に対応するデータ情報テーブルの場所にタグＩＤを格納する（ステップ４３）。そして、データ情報制御部４５は、タグ付加が完了した旨の通知をコントローラ端末１に対して行う（ステップ４４、４５）。なお、複数の画像を対象とする場合には、データ情報制御部４５が複数の画像を含むサムネイル画像を作成してコントローラ端末１に送信し、コントローラ端末１では、各画像毎にタグ名を選択する。
【００４９】
これにより、例えば、ユーザがコントローラ端末１等からデータ管理装置４に対してタグ名を指定することにより、当該タグ名に対応する画像を取得することが可能となる。
【００５０】
＜表示処理＞
次に、表示端末２による表示処理について図１２を参照して説明する。表示端末２が一般的なＰＣである場合には、そのＰＣからＩＤとパスワードを入力することによりユーザ認証を行うことが可能であるが、本実施形態においては、表示端末２は、通信機能付のデジタルフォトフレームのような文字入力が難しい装置であるものとする。
【００５１】
まず、表示端末２は、データ管理装置４にアクセスする。このとき、表示端末２からは当該機器に対応する機器情報（製造番号、ＭＡＣアドレス等）がデータ管理装置４に送られる（ステップ６１）。データ管理装置４においては、データ情報制御部４５が当該機器情報を受信し、当該機器情報にハッシュ関数を施すなどの処理を行って、表示端末識別情報を生成し、表示端末情報記憶部４６に格納しておく（ステップ６２）。
【００５２】
データ情報制御部４５は、上記のようにして生成した表示端末識別情報を表示端末２に送信し（ステップ６３）、表示端末２は当該表示端末識別情報を表示する（ステップ６４）。
【００５３】
続いて、コントローラ端末１からデータ管理装置４に対してＩＤ、パスワードを送信することによりログインが行われる（ステップ６５）。
【００５４】
データ管理装置４では、ユーザ認証部４２により、ユーザ認証が行われる（ステップ６６）。また、ユーザ認証部４２は、ユーザ認証に成功すると、セッション情報を生成してセッション情報をユーザＩＤとともセッション管理テーブルに保持するとともに、認証に成功した旨の通知をコントローラ端末１に送信する（ステップ６７）。当該通知にはセッション情報が含まれ、コントローラ端末１には当該セッション情報が保持される。また、ここで、情報入力画面表示用データがコントローラ端末１に送られる。
【００５５】
コントローラ端末１には情報入力画面が表示され、ユーザは、ステップ６４において表示端末２に表示された表示端末識別情報をコントローラ端末１に入力する（ステップ６８）。
【００５６】
そして、コントローラ端末１は、ユーザにより入力された表示端末識別情報をセッション情報とともにデータ管理装置４に送信する（ステップ６９）。データ管理装置４において、データ情報制御部４５が表示端末識別情報とセッション情報を受信し、セッション情報に対応するユーザＩＤをユーザ情報記憶部４７から取得する（ステップ７０）。そして、データ情報制御部４５は、ユーザＩＤを、コントローラ端末１から受信した表示端末識別情報に対応付けて表示端末情報記憶部４６に格納する（ステップ７１）。つまり、データ情報制御部４５は、コントローラ端末１から受信した表示端末識別情報を用いて表示端末情報テーブルを検索し、当該表示端末識別情報と一致する表示端末識別情報を検出し、その表示端末識別情報とユーザＩＤとを対応付けて表示端末情報テーブルに格納する。これにより、表示端末２とユーザＩＤとが紐付けされる。
【００５７】
その後、データ情報制御部４５は、タグ情報（タグ情報のリスト）を表示端末２に送信する（ステップ７２）。表示端末２では複数のタグ名が表示され、ユーザがその中から１つ又は複数のタグ名を選択する（ステップ７３）。
【００５８】
表示端末２は、ユーザにより選択されたタグ名に対応するタグＩＤを、機器情報とともにデータ管理装置４に送信する（ステップ７４）。データ管理装置４では、データ情報制御部４５が当該情報を受信する。データ情報制御部４５は、受信した情報に含まれる機器情報を、前述した方法と同じ方法で表示端末識別情報に変換するとともに、当該表示端末識別情報に対応するユーザＩＤを表示端末情報記憶部４６から取得し（ステップ７５）、ユーザにより選択されたタグＩＤとユーザＩＤとに対応するファイル名をデータ情報テーブルから取得する（ステップ７６、７７）。そして、データ情報制御部４５は、当該ファイル名に対応する画像をデータ記憶部４９から取得してデータ送受信部４４に渡し、データ送受信部４４が画像を表示端末２に送信する（ステップ７８、７９、８０、８１）。
【００５９】
本発明は、上記の実施の形態に限定されることなく、特許請求の範囲内において、種々変更・応用が可能である。
【符号の説明】
【００６０】
１００  データ配信サービスシステム
１  コントローラ端末
２  表示端末
３  カメラ
４  データ管理装置
５  通信ネットワーク
３１  撮影部
３２  表示部
３３  ネットワーク通信部
４１  ネットワーク通信部
４２  ユーザ認証部
４３  ユーザ管理部
４４  データ送受信部
４５  データ情報制御部
４６  表示端末情報記憶部
４７  ユーザ情報記憶部
４８  データ管理情報記憶部
４９  データ記憶部
【図１】
2010191766.tif 000003
【図２】
2010191766.tif 000004
【図３】
2010191766.tif 000005
【図４】
2010191766.tif 000006
【図５】
2010191766.tif 000007
【図６】
2010191766.tif 000008
【図７】
2010191766.tif 000009
【図８】
2010191766.tif 000010
【図９】
2010191766.tif 000011
【図１０】
2010191766.tif 000012
【図１１】
2010191766.tif 000013
【図１２】
2010191766.tif 000014